(57)【要約】      （修正有）【課題】容易に管理することができるとともに、簡便に再利用することができるスクリーン印刷用版枠を提供する。【解決手段】内部に空間が形成された複数の枠部材２ａ、２ｂ、２ｃ、２ｄを方形に組み合わせた枠体２と、枠部材２ａ、２ｂ、２ｃ、２ｄの少なくとも一つに設けられたＩＣタグ３とを備える。【選択図】図１
2020100091.tif 000002
【特許請求の範囲】
【請求項１】
内部に空間が形成された複数の枠部材を方形に組み合わせた枠体と、
前記枠部材の少なくとも一つに設けられたＩＣタグとを備えることを特徴とするスクリーン印刷用版枠。
【請求項２】
前記ＩＣタグが設けられた前記枠部材は、前記枠部材の外面から前記枠部材内部に形成された前記空間に向かって延伸するとともに、前記枠部材と接する一端部が前記枠部材に隙間なく固定される延伸部材をさらに備え、
前記ＩＣタグは、一部が前記枠部材の外面に露出するように、前記延伸部材に埋め込んで配置されることを特徴とする請求項１に記載のスクリーン印刷用版枠。
【請求項３】
前記ＩＣタグは、前記枠体の外側周面に配置されて、
前記延伸部材は、前記枠部材の外面から前記枠部材内部に形成された前記空間に向かって水平方向に延伸することを特徴とする請求項２に記載のスクリーン印刷用版枠。
【請求項４】
前記ＩＣタグは、平板状をなし、その一端面が前記枠部材の外面に露出して配置され、該一端面が、前記枠体の外側周面と面一となることを特徴とする請求項１、請求項２及び請求項３のいずれかに記載のスクリーン印刷用版枠。
【発明の詳細な説明】
【技術分野】
【０００１】
本発明は、ＩＣタグを内蔵したスクリーン印刷用版枠に関する。
【背景技術】
【０００２】
様々な印刷対象物に印刷可能な印刷方法として、スクリーン印刷法がある。このスクリーン印刷法では、マスキングされた紗を張った版枠の下部に印刷対象物を配置する。この状態で版枠に塗料を塗布すると、塗料は紗のマスキングされていない部分を通過して印刷対象物に塗布され、これにより印刷対象物に印刷が行われる。このスクリーン印刷用の版枠として、例えば特許文献１記載の版枠がある。
【先行技術文献】
【特許文献】
【０００３】
【特許文献１】特開平９−１０９３６４号公報
【発明の概要】
【発明が解決しようとする課題】
【０００４】
ところで、このようなスクリーン印刷用版枠を管理する場合、版枠に管理情報（例えば、製版された時期、使用（印刷）回数及びその時期、その他製版・印刷に関する事項等）を直接書き込むか、あるいは、管理情報が記載されたシール材を版枠に貼り付ける等の方法が用いられている。
【０００５】
そのため、管理情報が更新された場合や管理情報に変更が生じた場合には、版枠に直接記載された内容を消して新しい情報を書き込むか、または管理情報を更新したシール材を再度貼り付ける必要があり、管理に手間がかかる。
【０００６】
また、スクリーン印刷用版枠は紗を付け替えて再利用するものであるが、上述した管理を行っている版枠を再利用する場合、直接書き込まれた管理情報を溶剤等で落としたり、シール材を剥がしたりする作業が必要となり、版枠の再利用が煩雑なものとなる。
【０００７】
本発明は上述した問題に鑑みてなされたものであって、上述した手間を省いて容易に管理することができるとともに、簡便に再利用することができるスクリーン印刷用版枠を提供することをその主たる目的とするものである。
【課題を解決するための手段】
【０００８】
本発明のスクリーン印刷用版枠は、内部に空間が形成された複数の枠部材を方形に組み合わせた枠体と、前記枠部材の少なくとも一つに設けられたＩＣタグとを備えることを特徴とする。
【０００９】
上述の構成によって、枠部材の少なくとも１つにＩＣタグが設けられているので、このＩＣタグに製版された時期、使用（印刷）回数及びその時期、その他製版・印刷に関する事項等の管理情報を入力しておけば、簡単にスクリーン印刷用版枠を管理することができる。また、管理情報を変更する場合には、データを書き換えれば済むので、管理者にかかる従来の手間を省くことができる。
【００１０】
さらに、版枠を再利用する際には、ＩＣタグに入力された情報を消去するだけでよい。そのため、従来の版枠のように溶剤等を用いて版枠に記載されたものを落としたり、シール材を剥がしたりする作業が必要なくなり、簡便に版枠を再利用することができる。
【００１１】
本発明のスクリーン印刷用版枠の具体的な一態様としては、前記ＩＣタグが設けられた前記枠部材は、前記枠部材の外面から前記枠部材内部に形成された前記空間に向かって延伸するとともに、前記枠部材と接する一端部が前記枠部材に隙間なく固定される延伸部材をさらに備え、前記ＩＣタグは、一部が前記枠部材の外面に露出するように、前記延伸部材に埋め込んで配置されるものを挙げることができる。
【００１２】
スクリーン印刷時や版枠の再利用時には、スクリーン印刷用版枠を水や溶剤につけて洗浄する工程があり、また印刷時にはスクリーン印刷用版枠を水につけることがある。ここで、ＩＣタグを例えば枠部材にネジ留め等した場合、ＩＣタグを留めるネジが枠部材の内部の空間に達すると、枠部材内部の空間と枠部材の外の空間とが連通し、ネジと枠部材との間に隙間が生じる。そのため、この隙間から枠部材内部の空間に水や溶剤が侵入し、この隙間に侵入した水や溶剤が印刷対象物を汚してしまうおそれがある。
【００１３】
しかしながら、上述の構成を備える本発明のスクリーン印刷用版枠では、枠部材の外面から枠部材内部に形成された空間に向かって延伸するとともに、枠部材と接する一端部が枠部材に隙間なく固定される延伸部材を有し、ＩＣタグがこの延伸部材に埋め込まれて配置するので、ＩＣタグを配置しても、延伸部材によって枠部材内部の空間と枠部材の外の空間とが連通しない。そのため、枠部材内部の空間に水や溶剤が侵入することを防ぎ、印刷対象物が汚れることを防止できる。
【００１４】
本発明のスクリーン印刷用版枠の具体的な一態様としては、前記ＩＣタグは、前記枠体の外側周面に配置されて、前記延伸部材は、前記枠部材の外面から前記枠部材内部に形成された前記空間に向かって水平方向に延伸するものを挙げることができる。
【００１５】
このように構成すれば、ＩＣタグが枠体の外側周面に配置されているので、作業者は外側周面に配置されたＩＣタグにリーダーを容易に近接させて電磁波又は電波信号を受信させることができる。
【００１６】
本発明のスクリーン印刷用版枠の具体的な一態様としては、前記ＩＣタグは、平板状をなし、その一端面が前記枠部材の外面に露出して配置され、該一端面が、前記枠体の外側周面と面一となるものを挙げることができる。
【００１７】
上述の構成によって、スクリーン印刷時に、枠体から突出するＩＣタグが印刷動作の妨げになることを防止するとともに、版枠の管理時や洗浄時にＩＣタグが破損することを防止できる。
【発明の効果】
【００１８】
本発明によれば、煩雑な手間を省いて、スクリーン印刷用版枠を簡便に管理でき、かつ容易に再利用することができる。
【図面の簡単な説明】
【００１９】
【図１】第１実施形態におけるスクリーン印刷用版枠の斜視図。
【図２】第１実施形態におけるスクリーン印刷用版枠の平面図。
【図３】第１実施形態におけるスクリーン印刷用版枠の正面図。
【図４】第１実施形態におけるスクリーン印刷用版枠のＡＡ線断面図。
【図５】第２実施形態におけるスクリーン印刷用版枠の斜視図。
【図６】第２実施形態の変形例におけるスクリーン印刷用版枠の斜視図。
【図７】第２実施形態の変形例におけるスクリーン印刷用版枠のＢＢ線断面図。
【発明を実施するための形態】
【００２０】
本発明のスクリーン印刷用版枠について、以下、図面を用いて詳細に説明する。
【００２１】
＜第１実施形態＞
第１実施形態におけるスクリーン印刷用版枠１は、枠体２と枠体２に配置されたＩＣタグ３とを備えるものである。
【００２２】
枠体２は、図１及び図２に示すように、複数の枠部材２ａ、２ｂ、２ｃ、２ｄを方形に組み合わせて構成され、その略中央部分には四方を区切られた平面視略矩形状の開口が設けられている。スクリーン印刷時には、この開口部分に紗を張って配置する。
【００２３】
枠部材２ａ、２ｂ、２ｃ、２ｄは、それぞれ略四角筒形状をなすものであって、その内部には空間４が形成されている。そのため、枠部材２ａ、２ｂ、２ｃ、２ｄは、図４の縦断面に示すように、それぞれ空間４を形成する内面６と、内面６を覆う外面５とを有する。枠部材２ａ、２ｂ、２ｃ、２ｄの端部はそれぞれ隣り合う枠部材２ａ、２ｂ、２ｃ、２ｄの端部と隙間なく接合され、このとき枠部材２ａ、２ｂ、２ｃ、２ｄそれぞれの内部に形成された空間４が連通される。この空間４は枠部材２ａ、２ｂ、２ｃ、２ｄが全て接合されて枠体２を構成すると、閉鎖された空間となる。この枠部材２ａ、２ｂ、２ｃ、２ｄには例えばアルミフレーム等を用いることができる。
【００２４】
ＩＣタグ３は、非接触状態で情報通信が可能なＲＦＩＤ機能を用いたものであって、本実施形態では図１及び図４に示すように略円盤形状をなす。ＩＣタグ３の円盤の直径は枠部材２ｄの高さ方向の長さに比べて十分に小さいものである。また、円盤の厚み方向の長さは、本実施形態では、枠部材２ｄの厚みに該当する外面５から内面６までの長さ（図４に示す枠部材２ｄの厚みｄ）よりも長くなるように構成されている。
【００２５】
このＩＣタグ３は、図１及び図３に示すように、枠部材２ａ、２ｂ、２ｃ、２ｄの少なくともいずれか一つに設けられており、本実施形態では、枠体２の外側周面を構成する枠部材２ｄの外面５の略中央部分に配置される。このとき、図示しない外部装置であるリーダーからの電磁波又は電波の信号を受信するため、ＩＣタグ３の一部は枠部材２ａ、２ｂ、２ｃ、２ｄの外面５から露出して配置され、本実施形態では円盤形状をなすＩＣタグ３の一端面が、枠部材２ｄの外面５から露出する。
【００２６】
また、ＩＣタグ３には、例えば製版された時期、使用（印刷）回数及びその時期、その他製版・印刷に関わる事項等の管理情報が入力される。ここで、印刷時の条件や使用回数等の適宜変更される管理情報については、管理者がＩＣタグ３に入力された管理情報をリーダー等の外部装置を用いて上書きすることで最新の情報に更新する。
【００２７】
しかして、枠部材２ｄは、図３及び図４に示すように、その外面５に隙間なく固定された延伸部材７を備える。
【００２８】
本実施形態において、この延伸部材７は例えばアルミ素材の丸棒で構成され、その軸方向の長さは図４に示すように、外面５から空間４を隔てた内面６に至るまでの長さと同等である。また丸棒の端面の直径はＩＣタグ３の円盤の直径よりも大きくなるように構成されている。
【００２９】
延伸部材７は、図１及び図３に示すように、枠体２の外側周面をなす枠部材２ｄの略中央部分に設けられ、図４に示すように、枠部材２ｄの外面５から枠部材２ｄ内部に形成された空間４に向かって水平方向に延伸するとともに、枠部材２ｄと接する一端部が枠部材２ｄに隙間なく固定されるものである。
【００３０】
より具体的には、図４に示すように、枠部材２ｄの略中央部に外面５から内面６まで貫通する円形の開口８が設けられる。該開口８の直径は延伸部材７の直径と略同一となるように構成される。そして、開口８に延伸部材７が隙間なく嵌入される。このとき、開口８の開口端に接する延伸部材７の一端部は溶接して隙間なく固定され、空間４に向かって延びる延伸部材７の他端は空間４を隔てた内面６と当接する。
【００３１】
上述した構成により、図４に示すように、枠部材２ｄの外面５から延伸部材７の一端が露出する。この露出した延伸部材７にＩＣタグ３の円盤と同じ径を有する平面視円形状の凹部９が形成され、この凹部９にＩＣタグ３が埋め込まれて配置される。このとき、延伸部材７の中心軸とＩＣタグ３の中心軸とがほぼ合致する。
【００３２】
また、ＩＣタグ３は、図１、図３及び図４に示すように、一部が枠部材２ｄの外面から露出して配置するように、延伸部材７に埋め込んで配置されている。本実施形態では、円盤形状のＩＣタグ３を用いているので、ＩＣタグ３の一端面が枠部材２ｄの外面から露出するように延伸部材７にＩＣタグ３が埋め込まれており、このＩＣタグ３の露出する一端面と枠体２の外側周面とが面一となるように配置される。
【００３３】
上述の構成を備えることにより、本実施形態におけるスクリーン印刷用版枠１は、ＩＣタグ３に管理情報を入力しておけば、外部装置であるリーダーを用いてスクリーン印刷用版枠１を簡単に管理することができる。また、管理情報を変更する場合には、データを書き換えれば済むので、管理者の手間を省くことができる。
【００３４】
また、ＩＣタグ３が枠体２の外側周面に配置されているので、作業者は外側周面に配置されたＩＣタグ３に外部装置であるリーダーを容易に近接させて電磁波又は電波信号を受信させることができる。
【００３５】
さらに、スクリーン印刷用版枠１を再利用する際には、ＩＣタグ３に入力された情報を消去するだけでよい。そのため、従来のスクリーン印刷用版枠のように溶剤等を用いてスクリーン印刷用版枠１に記載されたものを落としたり、シール材を剥がしたりする作業が必要なくなり、簡便にスクリーン印刷用版枠１を再利用することができる。
【００３６】
また、本実施形態におけるスクリーン印刷用版枠１では、枠部材２ｄに設けられた開口８に隙間なく嵌入して固定され、枠部材２ｄの外面５から空間４に向かって延伸する延伸部材７を備え、該延伸部材７に設けた凹部９にＩＣタグ３の一部を枠部材２ｄの外面から露出させた状態で埋め込んで配置する。これにより、ＩＣタグ３を配置しても、延伸部材７によって枠部材２ｄの内部の空間４と、枠部材２ｄの外の空間とが連通しない。そのため、スクリーン印刷時やスクリーン印刷用版枠の再利用時において、スクリーン印刷用版枠１を水や溶剤につけても、その水や溶剤が版枠内部に侵入することを防ぎ、印刷対象物が汚れることを防止できる。
【００３７】
さらに、ＩＣタグ３の一端面が枠体２の外側周面と面一となるように配置されるので、スクリーン印刷時に、枠体２から突出するＩＣタグ３によってスクリーン印刷動作を妨げたり、版枠の管理時や洗浄時に誤ってＩＣタグ３が破損したりすることを防止できる。
【００３８】
加えて、本実施形態の枠体２は、内部に空間４を有する枠部材２ａ、２ｂ、２ｃ、２ｄで構成されているので、スクリーン印刷用版枠１を軽量化して、作業者の作業負担を減らすことができる。
【００３９】
＜第２実施形態＞
次に、本発明の第２実施形態について図面を用いて説明する。
なお、第２実施形態において、第１実施形態と同様の部分については、第１実施形態と同一の符号を付し、説明を省略する。
【００４０】
第２実施形態のスクリーン印刷用版枠１０は、ＩＣタグ２０の形状及びＩＣタグ２０の設置方法が、第１実施形態のスクリーン印刷用版枠１と異なる。
【００４１】
第２実施形態におけるＩＣタグ２０は、図５に示すように、略矩形状をなす平板２１の略中央部に凸部２２が設けられたものであり、この凸部２２の両端には、ＩＣタグをネジ留めするための図示しない一対の第１ネジ孔が設けられる。
【００４２】
枠部材２ｄは、枠体２の外側周面となる外面５に、上記第１ネジ孔と連通する図示しない一対の第２ネジ孔が設けられる。この一対の第２ネジ孔は、本実施形態では枠部材２ｄの外面５の略中心に対して対称となるように設けられている。
【００４３】
ＩＣタグ２０は、第１ネジ孔と第２ネジ孔とが連通するように平板２１を枠部材２ｄに配置した状態で、該第１ネジ孔及び第２ネジ孔にネジ２３を通すことによって枠部材２ｄに固定される。
【００４４】
このように構成した第２実施形態のスクリーン印刷用枠体１０は、枠部材２ｄに一対の第２ネジ孔を設けるだけでＩＣタグ２０を枠部材２ｄに固定することができるので、第１実施形態のスクリーン印刷用枠体１に比べてコストを安く抑えて、ＩＣタグ２０を枠部材２ｄに設けることができる。
【００４５】
また、第２実施形態におけるスクリーン印刷用版枠の変形例について説明する。
【００４６】
この第２実施形態の変形例におけるスクリーン印刷用版枠３０は、図６及び図７の断面図に示すように、枠部材２ｄにＩＣタグ２０の凸部２２に嵌合する孔部２４を設けておくとともに、上述の一対の第２ネジ孔を設ける。本実施形態では、孔部２４は枠部材２ｄの略中央部分に設けられ、この孔部２４に対して対称となるように一対の第２ネジ孔が設けられている。
【００４７】
ＩＣタグ２０は、凸部２２を枠部材２ｄに設けた孔部２４に嵌合させるように平板２１を配置し、この状態でＩＣタグ２０を枠部材２ｄにネジ留めして枠部材２ｄに固定される。
【００４８】
この第２実施形態の変形例におけるスクリーン印刷用版枠３０では、第１実施形態のスクリーン印刷用枠体１に比べて、ＩＣタグ２０を枠部材２ｄに設けるコストを安く抑えた上で、ＩＣタグ２０の凸部２２が枠部材２ｄの孔部２４に配置されるので、例えばスクリーン印刷用版枠３０の洗浄時や印刷時にＩＣタグ２０が破損することを防止できる。
【００４９】
なお、本発明は、上述の構成に限られたものではない。
【００５０】
例えば、ＩＣタグの構成は上述の本実施形態に限定されない。その版枠の使用態様や仕様によって、適宜形状、大きさ、厚み等を変更することが可能である。
【００５１】
また、ＩＣタグを枠部材に設ける方法も上述の本実施形態に限られたものではなく、例えば接着剤等を用いて枠部材に固定してもよく、その版枠の使用態様や仕様によって適宜変更することができる。さらに、ＩＣタグを固定する位置も本実施形態に限られたものではなく、枠部材に設けられていれば適宜変更することができる。
【００５２】
加えて、第１実施形態の延伸部材を設ける場合、延伸部材が設けられる位置も上述の本実施形態に限られることなく、枠部材に設けられていれば適宜変更することができる。また、延伸部材が延伸する方向は水平方向に限られず、鉛直方向であってもよいし、ＩＣタグを埋め込める範囲で直線状に延びていなくてもよい。また、ＩＣタグと延伸部材とは中心軸が非合致している状態であってもよい。
【００５３】
さらに、本実施形態では延伸部材の枠部材と離間する他端が、空間を隔てた枠部材の内面と当接していたが、例えば延伸部材の他端が空間に配置するように延伸部材の延伸方向の長さを適宜変更することも可能である。
【００５４】
また、ＩＣタグを複数設けることも可能であり、この場合、ＩＣタグにあわせて、第１実施形態の場合には延伸部材を複数設けることが可能であるし、第２実施形態の場合には孔部を複数設けることが可能である。
【００５５】
枠部材や延伸部材はアルミ部材に限られず、用途に合わせて適宜、その形状、大きさ、材質等を変更することができる。
【００５６】
加えて、ＩＣタグに書き込まれる管理情報は、本実施形態に限定されることなく、印刷に関する情報、版枠の管理情報、再利用に関する情報等あらゆる情報が含まれる。
【００５７】
本発明は、その趣旨に反しない範囲で様々な変形が可能である。
【符号の説明】
【００５８】
１・・・スクリーン印刷用版枠
２・・・枠体
２ａ、２ｂ、２ｃ、２ｄ・・・枠部材
３・・・ＩＣタグ
４・・・空間
７・・・延伸部材
【図１】
2020100091.tif 000003
【図２】
2020100091.tif 000004
【図３】
2020100091.tif 000005
【図４】
2020100091.tif 000006
【図５】
2020100091.tif 000007
【図６】
2020100091.tif 000008
【図７】
2020100091.tif 000009